(57)【要約】      （修正有）【課題】光学シート等の構造部材の強度の低下を抑制しつつ、液晶パネルの背面側の空間への放熱を高効率に行うことが可能な表示装置を提供する。【解決手段】表示装置１００は、光源基板６０と、光源基板６０よりも前面側に配置された光学シート４０と、光学シート４０の周縁領域を背面側から支持する支持面部７３と光学シート４０の端面に対向する側面部７４とを有し、光源基板６０を収容するケースと、光学シート４０の周縁領域を前面側から支持する支持面部を有するパネルホルダ３０と、表示パネル２０と、光学シート４０の周縁領域と支持面部７３との間に間欠的に設けられた複数の緩衝部材９５と、光学シート４０の端面と側面部７４との間に間欠的に設けられた複数の緩衝部材９４と、光学シート４０の周縁領域と支持面部との間に間欠的に設けられた複数の緩衝部材９３と、を備える。【選択図】図２
2019113768.tif 000002
【特許請求の範囲】
【請求項１】
前面側に画像を表示する表示装置であって、
前面側に光を発する複数の光源が配置された光源基板と、
前記光源基板よりも前面側に所定の距離だけ離して配置された光学シートと、
前記光学シートの周縁領域を背面側から支持する第１面と前記光学シートの端面に対向する第２面とを有し、前記光源基板を収容するケースと、
前記光学シートの周縁領域を前面側から支持する第３面を有する枠状のパネルホルダと、
前記パネルホルダの前面側に配置され、前記光源からの光を透過して画面に画像を表示する表示パネルと、
前記光学シートの周縁領域と前記第１面との間に間欠的に設けられた複数の第１部材と、
前記光学シートの端面と前記第２面との間に間欠的に設けられた複数の第２部材と
前記光学シートの周縁領域と前記第３面との間に間欠的に設けられた複数の第３部材と、
を備えることを特徴とする表示装置。
【請求項２】
前記複数の第１部材、前記複数の第２部材、および前記複数の第３部材はそれぞれ、前記光学シートの上端に対応する周縁領域および下端に対応する周縁領域に沿って、間欠的に設けられることを特徴とする請求項１に記載の表示装置。
【請求項３】
前記光学シートの少なくとも１辺に対応する周縁領域において、前記複数の第１部材と前記複数の第３部材とはそれぞれ、当該辺に沿った方向において、少なくとも各部材の中心が異なる位置になるように設けられることを特徴とする請求項１または請求項２に記載の表示装置。
【請求項４】
前記光学シートの少なくとも１辺に対応する周縁領域において、前記複数の第１部材と前記複数の第３部材とはそれぞれ、当該辺に沿った方向において、少なくとも各部材の一部が重なるように設けられることを特徴とする請求項３に記載の表示装置。
【請求項５】
前記ケースは、前記光源基板を支持する第１底面部と、前記第１底面部の外周から前面側に延伸した第１壁面部と、を備え、
前記第１面は、前記第１壁面部から外側に延伸した面であり、
前記第２面は、前記第１面から前面側に延伸した面であることを特徴とする請求項１乃至請求項４のいずれか１項に記載の表示装置。
【請求項６】
前記光源基板から発せられた光を前記表示パネルに反射する反射シートをさらに備え、
前記反射シートは、
前記光源基板の前面に沿って設けられ、前記複数の光源に対応する複数の開口を有する第２底面部と、
前記第２底面部から前面側に延伸し、前記ケースの前記第１壁面部に沿って設けられた第２壁面部と、
前記第２壁面部から外周側に延伸し、前記ケースの前記第１面に沿って設けられた第１延伸部と、
を備え、
前記第１延伸部は、少なくとも前記複数の第１部材の間に設けられることを特徴とする請求項５に記載の表示装置。
【請求項７】
前記光源基板から発せられた光を前記表示パネルに反射する反射シートをさらに備え、
前記反射シートは、
前記光源基板の前面に沿って設けられ、前記複数の光源に対応する複数の開口を有する第２底面部と、
前記第２底面部から前面側に延伸し、前記ケースの前記第１壁面部に沿って設けられた第２壁面部と、
前記第２壁面部から外周側に延伸し、前記光学シートの周縁領域に沿って設けられた第２延伸部と、
を備え、
前記第２延伸部と、前記第１面との間に、前記複数の第１部材が設けられ、
前記第２壁面部のうち、前記第１壁面部と前記複数の第１部材に対応しない領域に、開口が設けられることを特徴とする請求項５に記載の表示装置。
【請求項８】
前記複数の第１部材は、前記ケースの前記第１面に設けられた前記ケースの前記第１面と同一の部材の複数の凸部であることを特徴とする請求項１乃至請求項７のいずれか１項に記載の表示装置。
【請求項９】
前記複数の第３部材は、前記パネルホルダの前記第３面に設けられた前記パネルホルダと同一の部材の複数の凸部であることを特徴とする請求項１乃至請求項８のいずれか１項に記載の表示装置。
【請求項１０】
前記複数の第１部材は、前記ケースと異なる複数の弾性部材であることを特徴とする請求項１乃至請求項７のいずれか１項に記載の表示装置。
【請求項１１】
前記複数の第３部材は、前記パネルホルダと異なる複数の弾性部材であることを特徴とする請求項１乃至請求項８のいずれか１項に記載の表示装置。
【発明の詳細な説明】
【技術分野】
【０００１】
本発明は、バックライトを備える表示装置に関する。
【背景技術】
【０００２】
光源を備えるバックライトモジュールと液晶パネルとを備える表示装置がある。バックライトモジュールは、液晶パネルの背面側に複数の光源を設けた光源基板を配置する直下型バックライトの構成をとることがある。このような直下型バックライト構成では、光源から発せられた光が液晶パネルに照射されるまでに十分に拡散するように、液晶パネルと光源基板の間に空間を設ける。また、光源基板と液晶パネルとの間に、光源基板から発せられた光に、拡散等の光学的な影響を加える部材（光学シート）を設ける。
【０００３】
このような直下型バックライト構成のバックライトモジュールでは、光源基板上の光源を駆動することによって、光源から発生する熱が、光源基板と光学シートとの間の空間に滞留することがある。また、液晶パネルは、光源基板側からの熱輻射、およびバックライトモジュールから照射された光の一部が吸収され熱に変換されることによって温度が上昇する。
【０００４】
液晶パネルの熱は、液晶パネルの前面側に接する表示装置の外部の空気（外気）の対流と、液晶パネルと光学シートとの間の空間内の内部の空気の対流によって拡散され得る。しかしながら、液晶パネルと光学シートとの間の空間は、狭く、また、閉空間となっていることから、対流が生じづらい。したがって、液晶パネルと光学シートとの間の空間内の内部の空気の対流による熱の拡散（放熱）の効果を得ることが困難であった。
【０００５】
特許文献１に記載の表示装置では、光学シートの周辺領域に開口を設けることによって、液晶パネルと光学シートとの間の空間と、光学シートと光源基板との間の空間と、を連通する。これにより、液晶パネルと光学シートとの間の空間の空気を入れ替えることを可能とした。
【先行技術文献】
【特許文献】
【０００６】
【特許文献１】特開２００９−１５８１９３号公報
【発明の概要】
【発明が解決しようとする課題】
【０００７】
しかしながら、上述した先行技術では、光学シートに開口を設けることにより、光学シートの強度が不足することがあった。
【０００８】
本発明は、光学シート等の構造部材の強度の低下を抑制しつつ、液晶パネルの背面側の空間への放熱を高効率に行うことが可能な表示装置を提供することを目的とする。
【課題を解決するための手段】
【０００９】
上述した課題を解決するために、本発明に係る表示装置は、前面側に画像を表示する表示装置であって、前面側に光を発する複数の光源が配置された光源基板と、前記光源基板よりも前面側に所定の距離だけ離して配置された光学シートと、前記光学シートの周縁領域を背面側から支持する第１面と前記光学シートの端面に対向する第２面とを有し、前記光源基板を収容するケースと、前記光学シートの周縁領域を前面側から支持する第３面を有する枠状のパネルホルダと、前記パネルホルダの前面側に配置され、前記光源からの光を透過して画面に画像を表示する表示パネルと、前記光学シートの周縁領域と前記第１面との間に間欠的に設けられた複数の第１部材と、前記光学シートの端面と前記第２面との間に間欠的に設けられた複数の第２部材と、前記光学シートの周縁領域と前記第３面との間に間欠的に設けられた複数の第３部材と、を備えることを特徴とする。
【発明の効果】
【００１０】
本発明によれば、光学シートを凹凸形状部分にて間欠的に支持することで、光学シートの液晶パネル側および光源基板側の空間を挿通させる通気路が形成され、表示装置内での空気対流が生じやすくなる。これにより、光源基板、液晶パネルの放熱が高効率に行うことが可能となる。
【００１１】
したがって、光学シート等の構造部材の強度の低下を抑制しつつ、液晶パネルの背面側の空間への放熱を高効率に行うことが可能となる。
【図面の簡単な説明】
【００１２】
【図１】表示装置の分解斜視図である。
【図２】表示装置の縦断面を示す第１の断面図である。
【図３】表示装置の内部での空気循環の状態を示す模式図である。
【図４】比較例における縦断面を示す比較図である。
【図５】表示装置の縦断面を示す第２の断面図である。
【図６】表示装置の内部での空気循環の状態を示す模式図である。
【図７】表示装置の縦断面を示す第３の断面図である。
【図８】反射シートの斜視図である。
【発明を実施するための形態】
【００１３】
＜実施例１＞
以下、図面に基づいて本発明の実施例１に係る表示装置について説明する。表示装置１００は、バックライトモジュールと液晶パネルとを備え、バックライトモジュールから照射された光を液晶パネルで透過して画像を表示する液晶表示装置である。
【００１４】
図１は本実施形態に係る表示装置１００の全体を模式的に示した分解斜視図である。
【００１５】
表示装置１００はフレーム１０、表示パネル２０、パネルホルダ３０、光学シート４０、反射シート５０、光源基板６０、およびケース７０を備える。また、表示装置１００は、ケース７０のさらに背面側に、表示パネル２０および光源基板６０を駆動するための電源基板、および、それぞれを制御するための制御基板を含む、基板群を備えるとする。なお、表示装置１００について、前面側は表示パネル２０の表示領域が露出する方向を示す。背面側は、前面側と反対方向を示す。
【００１６】
また、表示装置１００の上下方向および左右方向は、表示パネル２０の画面と平行な平面内で定義する。図１に示すように、表示パネル２０が長方形の画面を有している場合、上下方向は表示パネル２０の短手方向を示し、左右方向は表示パネル２０の長手方向を示すとする。なお、上下方向は、鉛直方向である。表示装置１００の画面を鉛直方向に平行になるように設置した状態を、通常の使用状態であるとする。
【００１７】
フレーム１０は、表示パネル２０を前面から覆い、表示パネル２０の表示領域を露出する開口部を有する。フレーム１０は、少なくとも表示パネル２０の周縁領域を覆う、枠状の部材である。フレーム１０は、プレス加工もしくは機械加工により成形された金属部材であるとする。なお、フレーム１０は、樹脂成型で成形された樹脂部材であってもよい。なお、フレーム１０と、表示パネル２０の周縁領域との間に、緩衝部材９１が設けられる。緩衝部材９１の詳細は後述する。
【００１８】
表示パネル２０は、複数の液晶素子を有し、光源基板６０から照射された光を透過して画像を表示する液晶パネルである。表示パネル２０は、光源基板６０から照射された光を透過して画像を表示する表示領域と、表示領域の周縁の周縁領域とを有する。
【００１９】
パネルホルダ３０は、表示パネル２０の背面側に設けられ、少なくとも表示パネル２０の周縁領域を背面側から支持する部材である。パネルホルダ３０は、成型された樹脂部材であるとする。なお、パネルホルダ３０は、金属材料で形成されてもよい。
【００２０】
パネルホルダ３０は、表示パネル２０の周縁領域を、フレーム１０と挟持することで表示パネル２０を保持する。パネルホルダ３０は、光源基板６０からの光を表示パネル２０の表示領域に通過させるための開口部を備える。即ち、パネルホルダ３０は、表示パネル２０の周縁領域を背面側から支持する、枠状の部材であるといえる。なお、パネルホルダ３０と、表示パネル２０の周縁領域との間に、緩衝部材９２が設けられる。緩衝部材９２の詳細は後述する。
【００２１】
また、パネルホルダ３０は、光学シート４０の周縁領域をケース７０と挟持することで光学シート４０を保持する。パネルホルダ３０は、光学シート４０の周縁領域を背面側から支持する枠状の支持面部３１と、支持面部３１の外周部から背面側に延伸した側面部３２とを備える。側面部３２は、光学シート４０の端面を覆うように形成される。なお、パネルホルダ３０の支持面部３１と、光学シート４０の周縁領域との間に、緩衝部材９３が設けられる。緩衝部材９３の詳細は後述する。また、パネルホルダ３０の側面部３２と、光学シート４０の端面との間に、緩衝部材９４が設けられる。緩衝部材９４の詳細は後述する。
【００２２】
光学シート４０は、パネルホルダ３０と光源基板６０との間に配置され、光源基板６０からの光を透過させる際に拡散、集光する光学部材である。光学シート４０は、光源基板６０から発せられた光が十分拡散して光学シート４０に入射するように、光源基板６０から所定の距離だけ離れて設けられる。光学シート４０は、複数枚の光透過性のシートを積層して構成される。各シートは、光を拡散させる特性を持ったものや、表面に凹凸形状を有し光を集光させる特性を持ったものなどを用いることができる。
【００２３】
反射シート５０は、少なくとも光源基板６０の表示パネル２０側の面に沿って設けられた底面部を有し、光源基板６０から射出された光を表示パネル２０の方向へ反射する反射部材である。反射シート５０の底面部に、光源基板６０の複数の光源６１を露出するための複数の開口部５１が設けられる。反射シート５０は、高反射率のシート材を用いることが望ましく、白色の発泡ＰＥＴシートや高反射膜を表面に塗布された金属薄板などを用いることができる。また、反射シート５０は、後述するケース７０の内壁に沿って、表示パネル２０側に向かって折り曲げて形成された壁面部を備える。
【００２４】
光源基板６０は、光を発する複数の光源６１を備える基板である。例えば、光源は、複数のＬＥＤであるとする。複数の光源６１は、所定の間隔で格子状に光源基板６０に配置されるとする。各光源６１は、不図示の制御基板により、それぞれ個別に発光量を制御される。
【００２５】
ケース７０は、光源基板６０を収容するケース部材である。ケース７０は、光源基板６０の背面側を覆う底面部７１と、底面部から前面側に延伸する壁面部７２と、壁面部から外周側に延伸した支持面部７３とを備える。ここで、外周側は、上下方向および左右方向のいずれかにおいて、画面の中央に向かう方向と反対の方向であるとする。底面部７１は、光源基板６０の熱を、ケース７０の外側に拡散する放熱部材の役割を発揮するものであってもよい。さらに、ケース７０は、支持面部７３の外周部から前面側に延伸した側面部７４を備える。側面部７４は、光学シート４０の端面を覆うように形成される。
【００２６】
ケース７０は、板金プレス加工や機械加工により形成された金属部材であってもよい。ケース７０は、特に熱伝導性の高いアルミニウム合金で形成されるとする。なお、なお、ケース７０の側面部７４と、光学シート４０の端面との間に、緩衝部材９４が設けられる。緩衝部材９４の詳細は後述する。また、ケース７０の支持面部７３と、光学シート４０の周縁領域との間に、緩衝部材９５が設けられる。緩衝部材９５の詳細は後述する。
【００２７】
反射シート５０、光源基板６０、およびケース７０は、不図示のねじやリベットで固定される。ケース７０とパネルホルダ３０とは、不図示のねじや爪勘合などの係合手段によって固定される。パネルホルダ３０、光学シート４０、反射シート５０、光源基板６０、およびケース７０は、バックライトモジュール８０を構成する。フレーム１０、表示パネル２０、およびバックライトモジュール８０が固定され、表示装置１００を構成する。
【００２８】
図２は、表示装置１００の縦断面を示す模式図である。フレーム１０、パネルホルダ３０には、表示パネル２０の周縁領域と対向する位置に、それぞれ緩衝部材９１、緩衝部材９２を配置する。緩衝部材９１および緩衝部材９２は、表示パネル２０がフレーム１０、パネルホルダ３０と直接接触することによる損傷を防止するとともに、表示装置１００の外部から内部への塵埃の侵入を抑制する。このため、緩衝部材９１および緩衝部材９２は表示パネル２０の周辺に沿った全周にわたり配置し、表示パネル２０に圧縮状態で接触するように厚みを選択することが望ましい。緩衝部材９１、緩衝部材９２の材質は、ゴムやウレタン発泡体などの弾性体を用いることができる。
【００２９】
パネルホルダ３０の支持面部３１の光学シート４０の周縁領域と対向する領域に、緩衝部材９３が取り付けられる。ケース７０の側面部７４の光学シート４０の端面と対向する領域に、緩衝部材９４が取り付けられる。ケース７０の支持面部７３の光学シート４０の周縁領域と対向する領域に、緩衝部材９５が取り付けられる。
【００３０】
緩衝部材９３〜９５は、反射シート５０の壁部よりも外周側に配置され、光学シート４０がパネルホルダ３０、ケース７０と直接接触することによる損傷を防止する。緩衝部材９３〜９５は、ゴムやウレタン発泡体、ＡＢＳなどの樹脂材料で形成された部材であるとする。
【００３１】
緩衝部材９３〜９５は、光学シート４０と、パネルホルダ３０、およびケース７０との間にと、所定の空隙が形成されるように厚さや配置位置が決定される。具体的には、緩衝部材９３〜９５は、それぞれ複数の弾性部材を含み、複数の弾性部材はそれぞれ互いに間隔を設けて配置される。以下で、緩衝部材９３〜９５の配置およびその効果について説明する。
【００３２】
図３は、図２におけるＡＡ面の断面を示す模式図である。
【００３３】
図３に示すように、光学シート４０の下端部に沿った周縁領域近傍において、緩衝部材９３を構成する複数の弾性部材は、それぞれ光学シート４０の下端に沿った方向（左右方向）に、所定の間隔をあけて間欠的に配置される。同様に、緩衝部材９４を構成する複数の弾性部材は、それぞれ光学シート４０の下端に沿った方向（左右方向）に、所定の間隔をあけて間欠的に配置される。同様に、緩衝部材９５を構成する複数の弾性部材は、それぞれ光学シート４０の下端に沿った方向（左右方向）に、所定の間隔をあけて間欠的に配置される。言い換えると、各緩衝部材は、光学シート４０の１辺に対応する周縁領域において、当該辺に沿って間欠的に配置されるといえる。
【００３４】
図３においては、緩衝部材９５を構成する複数の弾性部材は、緩衝部材９３を構成する複数の弾性部材と同位置に重ねて設けられるため、図示されない。
【００３５】
また、光学シート４０の上端部に沿った周縁領域近傍において、緩衝部材９３を構成する複数の弾性部材は、それぞれ光学シート４０の上端に沿った方向（左右方向）に、所定の間隔をあけて間欠的に配置される。同様に、緩衝部材９５を構成する複数の弾性部材は、それぞれ光学シート４０の上端に沿った方向（左右方向）に、所定の間隔をあけて間欠的に配置される。図３においては、緩衝部材９５を構成する複数の弾性部材は、緩衝部材９３を構成する複数の弾性部材と同位置に重ねて設けられるため、図示されない。
【００３６】
また、光学シート４０の左端部に沿った周縁領域近傍において、緩衝部材９３が配置される。ここで、光学シート４０の左端部に設けられた緩衝部材９３は、当該領域において単一の弾性部材であるとする。光学シート４０の左端部に沿った周縁領域近傍において、緩衝部材９５が配置される。図３においては、緩衝部材９５を構成する複数の弾性部材は、緩衝部材９３を構成する複数の弾性部材と同位置に重ねて設けられるため、図示されない。また、光学シート４０の右端部に沿った周縁領域近傍においても、左端部と同様にして、緩衝部材９３および９５が設けられる。
【００３７】
上述の表示装置１００によれば、表示パネル２０と光学シート４０との間に形成される空間８１と、光学シート４０とケース７０との間に形成される空間８２とが、緩衝部材の間隙の間の開口を介して連通する。したがって、各緩衝部材の間隙の間の開口を介して、図２、および図３の矢印線に示すように空間８１と空間８２との間で空気の移動が可能となる。
【００３８】
図４は、比較例における断面図を示す模式図である。比較例における表示装置５００は、本実施例の表示装置１００に対して、緩衝部材９３〜９５が設けられない。即ち、表示装置５００において、光学シート４０の周縁領域は、背面側からケース７０の平坦な支持面部７３に支持され、また、前面側からパネルホルダ３０の平坦な支持面部３１に支持される。また、光学シート４０の他の周縁領域も同様に、背面側からケース７０の平坦な支持面部７３とパネルホルダ３０の平坦な支持面部３１とによって挟持される。
【００３９】
比較例の表示装置５００では、表示パネル２０と光学シート４０との間に形成される空間５８１と、光学シート４０とケース７０との間に形成される空間５８２とが、それぞれ独立した空間となる。したがって、空間５８１と空間５８２との間で空気の移動可能な量が少ない。
【００４０】
光源基板６０から照射され表示パネル２０に入射した光の一部は、一部の液晶素子や液晶素子間に設けられるブラックマトリクス材に吸収され、熱に変換される。液晶パネルは、変換された熱によって温度が上昇する。表示パネル２０の熱は、表示パネル２０の前面から表示装置の外気へ自然対流によって拡散する。また、表示パネル２０の熱の一部は、表示パネル２０の背面から空間５８１（空間８１）へ拡散する。上述のような熱の拡散によって、表示パネル２０に発生した熱が表示パネル２０外に拡散し、放熱効果を得る。
【００４１】
また、光源基板６０の複数の光源６１が駆動することにより、一部の電力が熱に変換される。各光源で発生した熱により、空間５８２（空間８２）の内部の空気の温度が上昇する。
【００４２】
比較例に示した表示装置５００では、空間５８１と空間５８２との間で、空気の移動が起こらない。即ち、空間５８１は略密閉状態であるといえる。したがって、表示パネル２０の背面側から空間５８１に拡散された熱により、空間５８１内部の温度が上昇する。空間５８１の温度が上がると、表示パネル２０の背面からの熱拡散効果が低下し、表示パネル２０の放熱効果が低下する。
【００４３】
また、空間５８２についても同様に、光源基板６０で発生した熱により、空間５８２内部の温度が上昇し、光源６１の放熱効果が低下する。光源６１の温度が高くなると、温度が高くない場合よりも発光効率が変化し、表示画像の輝度に影響を与えてしまう。
【００４４】
なお、光学シート４０の周縁領域と、背面側からケース７０の平坦な支持面部７３もしくはパネルホルダ３０の平坦な支持面部３１との間に、微小な空隙が存在したとしても同様の課題は生じ得る。
【００４５】
実施例１の表示装置１００によれば、空間８１と空間８２との空気が、互いの温度差に応じて循環することが可能となる。
【００４６】
例えば、表示装置１００の駆動時、光源基板６０が表示パネル２０よりも高温となる場合、図３の破線で示すように、光源基板６０側で暖められた空間８２の空気は上昇したのちに光学シート４０の上端側の空隙を通り、空間８１へと移動する。空間８１の空気は、表示パネル２０の前面側（表示面側）に生じる自然対流によって放熱された表示パネル２０により冷やされ、再び空間８２へと移動する。これにより、光源基板６０で発生した熱を空間８１と空間８２との空気の循環により、表示パネル２０を介して拡散することが可能となる。したがって、光源基板６０の放熱効率を向上することが可能となる。
【００４７】
また、例えば、表示装置１００の駆動時、表示パネル２０が光源基板６０よりも高温となる場合、前述の場合とは逆の空気の流れとなる。表示パネル２０で暖められた空間８１の空気は上昇したのちに光学シート４０の上端側の空隙を通り、空間８２へと移動する。空間８２の空気は、ケース７０の底面部７１によって冷却された光源基板６０によって冷やされ、再び空間８１へと移動する。これにより、表示パネル２０で発生した熱を空間８１と空間８２との空気の循環により、光源基板６０およびケース７０の底面部７１を介して拡散することが可能となる。したがって、表示パネル２０の放熱効率を向上することができる。
【００４８】
また、空間８１と空間８２とを連通するために、光学シート４０に開口を設けないことから、光学シートの構造部材の強度の低下を抑制しつつ、液晶パネルの背面側の空間への放熱を高効率に行うことが可能となる。
【００４９】
なお、実施例１において緩衝部材９５、緩衝部材９４、緩衝部材９３は光学シート４０の上端部、下端部に沿って配置したが、光学シート４０の左右の辺に沿った方向にも配置することも可能である。
【００５０】
なお、緩衝部材９３〜９５は、弾性部材でない部材で形成することも可能である。金属や硬度の高い樹脂材料で成形したスペーサを用いることも可能である。また、支持面部３１、支持面部７３、および側面部７４に複数の凹凸を設け、各凸部が緩衝部材９３〜９５のように、間隔をあけて複数配置されるものであってもよい。緩衝部材９３が、パネルホルダ３０の支持面部３１と同一の部材から構成される複数の凸部であってもよい。緩衝部材９４、９５が、ケース７０の支持面部７３と同一の部材から構成される複数の凸部であってもよい。
【００５１】
＜実施例２＞
実施例２の表示装置２００は、実施例１の表示装置１００に対して、空気の循環方向に対して垂直な方向において、一部の緩衝部材２９３と緩衝部材２９５との配置位置が異なる。より具体的には、光学シート４０の下端および上端の周縁領域において、緩衝部材２９３を構成する複数の弾性部材の中心位置と緩衝部材２９５を構成する複数の弾性部材の中心位置とが光学シート４０の周縁領域に沿って互い違いに配置される。これにより、空間８１と空間８２とをつなぐ経路長が長くなり、光源基板６０から表示パネル２０へ各緩衝部材の間隙を通過して到達する光の量を低減することが可能となる。したがって、空間８１と空間８２との間の空気の循環を可能とし、放熱効果を向上させることが可能となるとともに、表示画像への影響をより抑制することが可能となる。
【００５２】
実施例２の表示装置２００について説明する。なお、実施例１の表示装置１００と同様の構成は、実施例１の説明と同符号を付して説明を省略する。図５は、実施例２の表示装置２００の縦断面を示す模式図である。また、図６は、図５に示した模式図におけるＢＢ断面を示す模式図である。
【００５３】
表示装置２００の反射シート２５０は、実施例１の反射シート５０と同様に底面部と壁面部とを有し、さらに、壁面部から外周側に延伸し、支持面部７３に沿って設けられた延伸部を備える。
【００５４】
パネルホルダ３０の支持面部３１の光学シート４０の周縁領域と対向する位置に、緩衝部材２９３を取り付ける。
【００５５】
ケース７０の支持面部７３のうち、少なくとも緩衝部材２９５が配置されない領域に、反射シート２５０の延伸部が挿入される。また、ケース７０の支持面部７３の光学シート４０の周縁領域と対向する位置に、緩衝部材２９５を取り付ける。なお、ケース７０の支持面部７３と光学シート４０の間に、反射シート２５０の延伸部を設け、緩衝部材２９５は、支持面部７３上の反射シート２５０と光学シート４０の周縁領域との間に設けられてもよい。
【００５６】
ここで、緩衝部材２９３、および緩衝部材２９５はそれぞれ、複数の弾性部材からなり、緩衝部材２９３を構成する弾性部材と緩衝部材２９５を構成する弾性部材とはそれぞれ、光学シート４０の周縁領域に沿った方向において、異なる位置に設けられる。具体的には、光学シート４０の下端および上端の周縁領域において、緩衝部材９３を構成する複数の弾性部材の中心位置と緩衝部材９５を構成する複数の弾性部材の中心位置とが、光学シート４０の左右方向に対して互い違いに配置される。また、表示装置２００の前面から見た場合に、緩衝部材２９３、および緩衝部材２９５の一部が重なるように配置される。
【００５７】
また、緩衝部材２９４は、実施例１における緩衝部材９４と同様に、ケース７０の側面部７４と光学シート４０の端面との間に設けられる。ここで、緩衝部材２９４を構成する複数の弾性部材は、それぞれ緩衝部材２９５が設けられない領域に対応する位置に設けられる。すなわち、緩衝部材２９３を構成する複数の弾性部材、および緩衝部材２９４を構成する複数の弾性部材は、緩衝部材２９５を構成する複数の弾性部材に対して、対応する光学シート４０の周縁領域の辺に沿った方向において、位相がずれた位置に設けられる。
【００５８】
上述のような構成とすることにより、緩衝部材２９３〜２９５の間隙を介して、空間８１と空間８２とが連通し、空気が循環可能となる。
【００５９】
さらに、空間８１と空間８２とをつなぐ経路長が長くなり、また、経路において、屈曲性が上がる。したがって、光源基板６０から発せられた光が、緩衝部材２９３〜２９５の間隙を介して、表示パネル２０に到達しづらくなる。したがって、表示画像への影響をより抑制することができる。
【００６０】
また、空間８１と空間８２とを連通するために、光学シート４０に開口を設けないことから、光学シートの構造部材の強度の低下を抑制しつつ、液晶パネルの背面側の空間への放熱を高効率に行うことが可能となる。
【００６１】
＜実施例３＞
実施例３の表示装置３００は、実施例１の表示装置１００に対して、反射シート３５０が光学シート４０方向に延伸し、光学シート４０の周縁領域と支持面部７３および緩衝部材９５との間に反射シート３５０が設けられる。また、反射シート３５０の壁部において、緩衝部材９５が設けられない位置に対応する領域に開口が設けられる。実施例３の表示装置３００は、反射シート３５０を延伸することにより、光源基板６０から発せられた光が、緩衝部材９５の間隙を介して漏れることを抑制することが可能となる。したがって、空間８１と空間８２との間の空気の循環を可能とし、放熱効果を向上させることが可能となるとともに、表示画像への影響をより抑制することが可能となる。
【００６２】
実施例３の表示装置３００について説明する。なお、実施例１の表示装置１００と同様の構成は、実施例１の説明と同符号を付して説明を省略する。図７は、実施例３の表示装置３００の縦断面を示す模式図である。また、図８は、反射シート３５０を示す斜視図である。
【００６３】
表示装置３００の反射シート３５０は、実施例１の反射シート５０と同様に底面部と壁面部とを有し、さらに、壁面部から外周側に延伸し、光学シート４０の周縁領域に沿って設けられた延伸部を備える。
【００６４】
光学シート４０とケース７０の支持面部７３との間に、反射シート３５０の延伸部を挿入する。延伸部とケース７０の支持面部７３の間に、緩衝部材９５を設ける。
【００６５】
また、反射シート３５０の壁面部のうち延伸部と壁面部７２との間の領域に、開口部３５２が設けられる。開口部３５２は、緩衝部材９５を構成する複数の弾性部材と位相をずらして間欠的に設けられる。すなわち、反射シート３５０の壁部において、緩衝部材９５が設けられない位置に対応する領域に開口部３５２が設けられる。
【００６６】
実施例３の表示装置３００によれば、空間８１と空間８２とは、開口部３５２によって連通する。したがって、空間８１と空間８２とは、内部の空気の移動が可能となる。
【００６７】
以上、本発明の好ましい実施形態について説明したが、本発明はこれらの実施形態に限定されず、その要旨の範囲内で種々の変形及び変更が可能である。
【符号の説明】
【００６８】
１００  表示装置
１０  フレーム
２０  表示パネル
３０  パネルホルダ
４０  光学シート
５０  反射シート
６０  光源基板
７０  ケース
８０  バックライトモジュール
８１、８２  空間
９１、９２、９３、９４、９５  緩衝部材
【図１】
2019113768.tif 000003
【図２】
2019113768.tif 000004
【図３】
2019113768.tif 000005
【図４】
2019113768.tif 000006
【図５】
2019113768.tif 000007
【図６】
2019113768.tif 000008
【図７】
2019113768.tif 000009
【図８】
2019113768.tif 000010